(57)【要約】  本発明は、消費者物品用の容器（１０）に関連するが、容器（１０）はボックス部分であって、ここでボックス部分が、ボックス前部壁（１４）、ボックス後部壁（１６）、ボックス底部壁、およびボックス前部壁（１４）およびボックス後部壁（１６）の間に延びる２つのボックス側壁（１２）を備えるものと、スペーサー（２０）とを含み、ここでスペーサー（２０）はボックス部分内に取り付けられており、スペーサー（２０）はボックス底部壁（１４）と基本的に直角をなし、スペーサー（２０）はボックス前部壁（１４）の上端で部分的に突き出し、かつスペーサーは少なくとも一つのスペーサー壁（２６、２８、３０）を含み、少なくとも一つのスペーサー壁は、少なくとも一つのスペーサー切り抜き（３２、３４、３６）を有し、また少なくとも一つのスペーサー切り抜きは、少なくとも一つのスペーサー壁（２６、２８、３０）の上端に位置する。容器（１０）はさらに、内側フレーム切り抜きを備えた内側フレームを含み、ここで内側フレームは、ボックス前部壁（１４）の内側に提供され、かつボックス前部壁（１４）の上端で部分的に突き出している。本発明はまた、容器（１０）を準備する方法に関連する。【選択図】図２
2018508427.tif 000002
【特許請求の範囲】
【請求項１】
消費者物品のための容器（１０）であって、前記容器（１０）が、
ボックス部分であって、前記ボックス部分がボックス前部壁（１４）と、ボックス後部壁（１６）と、ボックス底部壁と、前記ボックス前部壁（１４）と前記ボックス後部壁（１６）の間に延びる２つのボックス側壁（１２）を含むものと、
スペーサー（２０）であって、
前記スペーサー（２０）が前記ボックス部分内に取り付けられ、
前記スペーサー（２０）が前記ボックス底部壁に基本的に直角に取り付けられ、
前記スペーサー（２０）が前記ボックス前部壁（１４）の上端で部分的に突き出し、
前記スペーサー（２０）が、少なくとも一つのスペーサー壁（２６、２８、３０）を含むものとを備え、
前記少なくとも一つのスペーサー壁（２６、２８、３０）が少なくとも一つのスペーサー切り抜き（３２、３４、３６）を持ち、
前記少なくとも一つのスペーサー切り抜き（３２、３４、３６）が前記少なくとも一つのスペーサー壁（２６、２８、３０）の前記上端に位置し、
前記容器（１０）が内側フレーム切り抜きのある内側フレームをさらに備え、
前記内側フレームが前記ボックス前部壁（１４）の内側に提供され、かつ前記ボックス前部壁（１４）の上端で部分的に突き出す、容器。
【請求項２】
前記スペーサー（２０）の少なくとも第一の部分が折り曲げられて、前記スペーサー（２０）の前記第一の部分の円形、楕円形、長円形、半円形、半楕円形または半長円形またはＵ字型の断面を生じる、請求項１に記載の容器（１０）。
【請求項３】
前記スペーサー（２０）の少なくとも第二の部分が折り畳まれて、前記スペーサー（２０）の前記第二の部分のＵ字型、Ｖ字型、三角形、長方形または台形の断面を生じる複数のスペーサー壁（２６、２８、３０）を提供する、請求項１または請求項２に記載の容器（１０）。
【請求項４】
請求項１〜３のいずれか１項に記載の容器（１０）であって、前記スペーサー（２０）が、
成形されて前記スペーサー（２０）の円形、楕円形、長円形、半円形、半楕円形、半長円形またはＵ字型の断面を形成する１つのスペーサー壁（２６、２８、３０）か、
成形されて前記スペーサー（２０）のＶ字型の断面を形成する２つのスペーサー壁（２６、２８、３０）か、
成形されて前記スペーサー（２０）のＵ字型または三角形の断面を形成する３つのスペーサー壁（２６、２８、３０）か、
成形されて前記スペーサー（２０）の長方形または台形の断面を形成する４つのスペーサー壁（２６、２８、３０）のいずれかを含む、容器。
【請求項５】
請求項４に記載の容器（１０）であって、前記スペーサー（２０）が
前記スペーサー（２０）の反対側の２つのスペーサー切り抜き（３２、３４、３６）、または１つのスペーサー切り抜き（３２、３４、３６）または３つのスペーサー切り抜き（３２、３４、３６）を持つ、１つのスペーサー壁（２６、２８、３０）か、
１つのスペーサー切り抜き（３２、３４、３６）または２つのスペーサー切り抜き（３２、３４、３６）を持つ、２つのスペーサー壁（２６、２８、３０）か、
１つ、２つまたは３つのスペーサー切り抜き（３２、３４、３６）を持つ、３つのスペーサー壁（２６、２８、３０）か、
前記スペーサー（２０）の反対側の２つのスペーサー切り抜き（３２、３４、３６）、または前記スペーサー（２０）の反対側の４つのスペーサー切り抜き（３２、３４、３６）、または３つのスペーサー切り抜き（３２、３４、３６）を持つ、４つのスペーサー壁（２６、２８、３０）のいずれかを持つ、容器。
【請求項６】
前記少なくとも一つのスペーサー切り抜き（３２、３４、３６）が、三角形、長方形、半円形、半楕円形、半長円形の形態持つか、またはＵ字型もしくはＶ字型である、請求項１〜５のいずれか１項に記載の容器（１０）。
【請求項７】
前記スペーサー（２０）の断面積が、前記ボックス部分の断面積の約１０パーセント〜約６０パーセント、好ましくは約２０パーセント〜約５０パーセント、より好ましくは約２５パーセント〜約４５パーセントである、請求項１〜６のいずれか１項に記載の容器（１０）。
【請求項８】
請求項１〜７のいずれか１項に記載の容器（１０）であって、
前記スペーサー（２０）の外側深さが前記ボックス部分の内側深さに対応するか、
前記スペーサー（２０）の外側幅が前記ボックス部分の内側幅に対応するか、
前記スペーサー（２０）の前記外側深さが前記ボックス部分の前記内側深さに対応し、かつ前記スペーサー（２０）の前記外側幅が前記ボックス部分の前記内側幅に対応するか、のいずれかである容器。
【請求項９】
前記スペーサー（２０）が前記容器（１０）内に取り付けられる別個の要素である、請求項１〜８のいずれか１項に記載の容器（１０）。
【請求項１０】
前記消費者物品が喫煙物品、好ましくは葉巻たばこ、シガリロまたは紙巻たばこ（４０）、より好ましくは紙巻たばこ（４０）である、請求項１〜９のいずれか１項に記載の容器（１０）。
【請求項１１】
請求項１〜１０のいずれか１項に記載の容器（１０）であって、
前記消費者物品が前記ボックス部分内に位置するが、前記スペーサー（２０）内にはないか、
前記消費者物品が前記スペーサー（２０）内に位置するが、前記ボックス部分の壁（１２、１４、１６）と前記スペーサー（２０）との間の容積内にないか、のいずれかである、容器。
【請求項１２】
前記容器（１０）が、リッド前部壁、リッド後部壁、および前記リッド前部壁と前記リッド後部壁との間に延びる２つのリッド側壁を含むリッド部分をさらに備える、請求項１〜１１のいずれか１項に記載の容器（１０）。
【請求項１３】
前記スペーサー（２０）の高さが前記ボックス部分の内側高さに対応する、請求項１〜１２のいずれか１項に記載の容器（１０）。
【請求項１４】
請求項１〜１３のいずれか１項に記載の消費者物品用の容器（１０）を準備するための方法であって、
（ａ）ボックス部分を形成するための主要ブランクを提供する工程と、
（ｂ）前記主要ブランクから、ボックス前部壁（１４）、ボックス後部壁（１６）、ボックス底部壁、および前記ボックス前部壁（１４）と前記ボックス後部壁（１６）との間に延びる２つのボックス側壁（１２）を含む前記ボックス部分を形成する工程と、
（ｃ）スペーサー（２０）を形成するためのスペーサーブランクに少なくとも一つの１つの切り抜き（３２、３４、３６）を提供する工程と、
（ｄ）前記スペーサーブランクから前記少なくとも一つのスペーサー切り抜き（３２、３４、３６）を持つ前記スペーサー（２０）を形成する工程と、
（ｅ）前記スペーサーが前記ボックス部分内に取り付けられ、前記ボックス底部壁に基本的に直角に取り付けられ、かつ前記少なくとも一つのスペーサー切り抜き（３２、３４、３６）を持つ前記スペーサー（２０）が前記ボックス前部壁（１４）の上端で部分的に突き出すように、前記少なくとも一つのスペーサー切り抜き（３２、３４、３６）を持つ前記スペーサー（２０）を前記容器（１０）の前記ボックス部分内に導入する工程と、
（ｆ）内側フレームを形成するための内側フレームブランクに切り抜きを提供する工程と、
（ｇ）前記内側フレームブランクから前記内側フレームを形成する工程と、
（ｈ）前記内側フレームが前記ボックス前部壁（１４）の上端で部分的に突き出すように、前記内側フレームを前記ボックス前部壁の内側に取り付ける工程と、を含む方法。
【請求項１５】
消費者物品を適切な時点で前記容器（１０）に導入する工程をさらに含む、請求項１４に記載の方法。
【発明の詳細な説明】
【技術分野】
【０００１】
本発明は、消費者物品用の容器に関連し、容器はボックス部分と、ボックス部分内に取り付けられているスペーサーとを備える。
【背景技術】
【０００２】
折り畳まれた層状ブランクから形成される容器内に消費者物品を包装することは周知である。紙巻たばこ、シガリロおよび葉巻たばこなどの細長い喫煙物品は、ボックス部分と、容器の後部壁を横切って延びるヒンジ線の周りでボックスに接続されたリッドとを有するヒンジ付リッド容器など、剛直なボックス型の容器で一般に販売されている。使用時、リッドはヒンジ線を中心として回転してパックを開き、ボックス内に保持されている喫煙物品へのアクセスが得られる。
【０００３】
一部の場合に、容器内の消費者物品によって占められる容積よりも大きなサイズの容器を提供することが望ましい場合がある。この結果として容器の中に空のスペースをもたらされる場合があり、その結果輸送の間に消費者物品が容器の中で移動または振動される可能性がより高くなる。
【０００４】
この問題を克服するために、ＧＢ  ２  ２５９  ６８７号は、紙巻たばこパックに挿入されて、箔の包みとボックスの筐体との間にある差の空間を占める、成形加工したスペーサー要素を含む紙巻たばこパッケージを開示している。ところが、成形加工されたスペーサーの存在の結果として、消費者にとって紙巻たばこパック内にある紙巻たばこへのアクセスがより困難なものとなる。
【０００５】
スペーサーの存在にも関わらず、消費者物品への簡単なアクセスを許容する消費者物品用に改良型のスペーサーを含む容器を提供することが望ましい。
【０００６】
この目標は、本発明によって達成されうる。本発明の第一の態様によれば、消費者物品用の容器が提供されており、容器はボックス部分であって、ここでボックス部分は、ボックス前部壁、ボックス後部壁、ボックス底部壁およびボックス前部壁およびボックス後部壁の間に延びる２つのボックス側壁を備えるものと、スペーサーとを含み、ここでスペーサーはボックス部分内に取り付けられており、スペーサーはボックス底部壁と基本的に直角をなし、スペーサーはボックス前部壁の上端で部分的に突き出し、かつスペーサーは少なくとも一つのスペーサー壁を含み、少なくとも一つのスペーサー壁は、少なくとも一つのスペーサー切り抜きを有し、また少なくとも一つのスペーサー切り抜きは、少なくとも一つのスペーサー壁の上端に位置する。容器はさらに、内側フレーム切り抜きを備えた内側フレームを含み、ここで内側フレームは、ボックス前部壁の内側に提供され、かつボックス前部壁の上端で部分的に突き出している。
【０００７】
少なくとも一つのスペーサー壁の上端でのスペーサー切り抜きは、ボックス前部壁の上端で突き出している領域内に位置する。その理由で、このスペーサー切り抜きは、消費者による容器内の消費者物品へのアクセスを容易にする。
【０００８】
随意的に、容器は、リッド前部壁と、リッド後部壁と、リッド上部壁と、リッド前部壁およびリッド後部壁の間に延びる２つのリッド側壁とを含むリッド部分をさらに含む。
【発明の概要】
【０００９】
本発明による容器の構成要素の相対的位置を描写するために使用される「前部」、「後部」、「上部」、「下部」、「側方」、「上側」、「下側」、「高さ」、「幅」、「深さ」という用語およびその他の用語は、容器内に収容される消費者物品、ならびにボックス部分の開放端が上部にあり、消費者物品が前部の上縁端から出し入れ可能な、直立位置にある容器について言及するものである。これらの用語は、下記にさらに定義するスペーサーに言及する際に類似した方法で使用される。
【００１０】
上述した通り、本発明による容器で使用されているスペーサーは、ボックス底部壁と基本的に直角をなして取り付けられる。スペーサーは、ボックス底部壁に糊付けまたはその他の方法で接着できる。別の方法としてまたは追加的に、少なくとも一つのスペーサー壁は、１つ以上のボックスの壁に、スペーサーがそれぞれのボックスの壁に触れる位置でそれぞれ糊付けまたはその他の方法で接着されてもよい。ところが、スペーサーは、ボックスの壁に糊付けまたは接着されないことが好ましい。その後者の場合、スペーサーはボックス部分の内側寸法に適合される寸法を持つことがより好ましい。例えば、スペーサーは、スペーサーがボックス部分に適切にはめ込まれ、例えばスペーサーおよびボックスの壁の間の摩擦によって所定場所に保たれるように、ボックス部分の内側の深さに対応する外側の深さを持つことができる。従って、スペーサーの外側寸法をボックス部分の内側寸法に適合させることは、スペーサーをボックス部分に取り付ける接着剤の必要なしに、スペーサーをボックス部分内に取り付けることができるという利点がある。それにもかかわらず、スペーサーは正しく位置づけられ、いくつかの消費者物品が取り出された後でも、所定場所に保持される。
【００１１】
スペーサーは、ボックス底部壁に直角に取り付けられることが好ましい。スペーサーの直角の配置からのわずかな逸脱は、容器からの消費者物品の取り出しにマイナスの影響がない限り容認される。
【００１２】
一部の実施形態では、スペーサー切り抜きのあるなしによらず、また同じまたは異なる形態およびサイズであるかによらず、容器は複数のスペーサーを含む。
【００１３】
スペーサーは、スペーサーが近接するボックスの壁で横にならずに、スペーサーおよび周囲のボックス壁の間に空間が生じるような方法で取り付けられることが好ましい。消費者物品、例えば、紙巻たばこは、スペーサーとボックス壁の間の空間内に、またはさらにはスペーサー内に充填できる。従って、スペーサーとボックス壁の間に空間が生じるような方法での、ボックス部分内でのスペーサーの好ましい配置は、ボックス部分がより小さなセグメントに分割されるという効果を持ち、消費者物品の可能な移動が制限され、消費者物品の一部を取り出した後でさえも、消費者物品が容器の多様なセグメント内にさらに効果的に保持される。
【００１４】
消費者物品は、紙巻たばこ、シガリロおよび葉巻たばこなどの、細長い喫煙物品であることが好ましい。消費者物品は紙巻たばこであることがより好ましい。従って、本発明の容器は、細長い喫煙物品用の容器であることが好ましく、紙巻たばこパックであることがより好ましい。ただし、本発明による容器は、喫煙物品以外の多様な消費者物品、好ましくは、ロッド形の物品とも使用できる。
【００１５】
好ましい喫煙物品の細長い性質の結果として、本発明の容器の高さ（容器の下端（すなわち、ボックス底部壁）と容器の上端（すなわち、存在する場合、リッド上部壁の間の距離に対応）は、本発明の容器の幅（例えば、ボックス側壁間の最大距離に対応）よりも大きいことが同様に好ましい。よって、本発明の容器の幅は、本発明の容器の深さ（例えば、ボックス前部壁とボックス後部壁の間の最大距離に対応）よりも大きいことも好ましい。
【００１６】
本発明のより好ましい紙巻たばこパックは、ヒンジリッドパックもしくはソフトパック（すなわち、例えば、紙など、ヒンジリッドパックに一般的に使用されるものよりも薄く簡単に変形可能な材料でできた層状ブランクから作製されるボックス部分を持つ容器）、または容器を開くためのスライド機構を持つパックのどちらでもよい。当然のことながら、その寸法を適切に選択することにより、本発明による紙巻たばこパックは、例えば、４ミリメートル〜９ミリメートルの範囲の紙巻たばこの直径を持つ、従来的なサイズ、キングサイズ、スーパーキングサイズ、スリムまたはスーパースリムの紙巻たばこの異なる数の紙巻たばこ用に設計されうる。
【００１７】
本発明による容器内で使用されるスペーサーは、別個の要素として提供され、また上述した通り、容器または内側フレームに取り付けられる。特に、スペーサーは、内側フレームまたは容器と一体には形成されない。結果として、容器の残りの部分は、特に、既存の機械および慣習的に使用されている容器ブランクおよび内側フレームブランクを使用して、従来的な製造技術を使用して製造されうる。
【００１８】
スペーサーは、層状ブランクから作製されることが好ましい。スペーサーは、曲げられるかまたは折り畳まれる、または曲げと折り畳みの両方が施されることが好ましい。スペーサー構造が曲げられる場合、１つのスペーサー壁から成り、より多めまたは少なめの曲面断面を持つスペーサーが結果的に生じる。こうした曲面断面は、半円形、円形、半楕円形、楕円形、半長円形、長円形またはＵ字型が好ましい。スペーサー構造が折り畳まれる場合、少なくとも２つのスペーサー壁から成るスペーサーが結果的に生じ、折り畳まれるそれぞれの端が追加的なスペーサー壁をもたらす。少なくとも２つのスペーサー壁を備えたこうしたスペーサーは、Ｖ字型、三角形、台形または長方形の断面を持つことが好ましい。スペーサーの断面は三角形であることがより好ましい。スペーサーの断面積は、１つ以上のスペーサー壁によって囲まれる領域として定義される。
【００１９】
上述の通り、曲げられたスペーサーは、そこからスペーサー壁の重なり合う端部分を相互に、例えば糊付けによって、接続することで、半円形、円形、半楕円形、楕円形、半長円形、長円形またはＵ字型のスペーサーが作成できる、１つのスペーサー壁を含むことが好ましい。ところが、スペーサーの望ましい断面は、スペーサー壁を１つ以上（１つが好ましい）のボックス壁と組み合わせて形成されることもできる。例えば、Ｕ字型スペーサーをそのままボックス部分に導入して、スペーサーの外側周辺を閉じるために、スペーサー壁の端部をボックス壁のうちの１つ（例えば、ボックス後部壁）に対して配置してもよい。
【００２０】
曲げられたスペーサーについては、折り畳まれたスペーサーの望ましい断面は、スペーサー壁を相互に組み合わせることによるか、またはスペーサー壁を１つ以上（１つが好ましい）のボックス壁と組み合わせることにより達成されうる。最も簡単な方法では、スペーサーにＶ字型の断面が生じるように、シート様の構造が１回折り畳まれうる。２つのスペーサー壁を持つＶ字型スペーサーをそのままボックス部分に導入して、スペーサーの外側周辺を閉じるために、スペーサー壁の端部をボックスの壁のうちの１つ（例えば、ボックス後部壁）に対して配置してもよい。このような場合、結果的に生じるスペーサーは三角形の断面を持つ。同様に、台形または長方形の断面を持つスペーサーは、３回折り畳まれた後、スペーサー壁の重なり合う端部分を相互に、例えば糊付けによって接続することで、１つの平坦なまたはシート様の構造から、または２回折り畳まれてから、欠けている第四のスペーサー壁がボックスの壁のうち１つによって補足されるようにボックス部分内に挿入された１つの平坦なまたはシート様の構造から、または折り畳んだ後で随意に重なり合う端領域で相互に連結された２つまたは３つの平坦なまたはシート様の構造から、作製されうる。
【００２１】
折り畳まれたスペーサーの好ましい実施形態は、２つ、３つまたは４つのスペーサー壁を備える。折り畳まれたスペーサーが２つのスペーサー壁を備える場合、スペーサーは、スペーサーのＶ字型断面をもたらしうる。折り畳まれたスペーサーが３つのスペーサー壁を備える場合、スペーサーは、スペーサーのＵ字型または三角形の断面をもたらしうる。折り畳まれたスペーサーが４つのスペーサー壁を備える場合、スペーサーは、スペーサーの長方形または台形の断面をもたらしうる。
【００２２】
一部の実施形態では、スペーサーは、少なくとも２つのスペーサー壁が相互に対して平たくなるような方法で折り畳まれる。このことは、こうした構造がスペーサーの安定性を向上させるため有利である。スペーサーが例えば４つのスペーサー壁を持つ場合でも、スペーサーをこのように折り畳むことで、スペーサーが２つの外側スペーサー壁が相互に対して平たくなるような方法で折り畳まれるとき、三角形に折り畳まれうる。一定数のスペーサー壁を備えたスペーサーを準備する時、余分なスペーサー壁が別のスペーサー壁に対して平たくなる（複数回でもよい）限り、上述の断面形状はそれより大きな数のスペーサー壁を持つスペーサーを用いても実現されうることが理解される。これは、安定性を向上させるために低めの基準重みを持つ材料からスペーサーを実現する時に有利である。
【００２３】
一部の実施形態では、スペーサーは、スペーサーの１つ以上の部分にわたり折り曲げられ、一方でスペーサーの残りの部分は少なくとも１回折り曲げられる。
【００２４】
スペーサーの断面は、１つ以上のスペーサー壁の上端に位置する１つ以上のスペーサー切り抜きの位置を除いて、スペーサーの高さ全体にわたって一定であることが好ましい。
【００２５】
１つ以上のスペーサー切り抜きは、異なる形態を持ちうる。スペーサーのすべてのスペーサー切り抜きは、同一の形態を持つか、またはすべてのスペーサー切り抜きが２つの異なる形態のうち１つを持つことが好ましい。スペーサー切り抜きは、三角形、長方形、半円形、半楕円形もしくは半長円形の形態を持ちうるか、またはＶ字型もしくはＵ字型である。好ましい一つの実施形態で、少なくとも一つのスペーサー切り抜きは、三角形の形態を持つかまたはＶ字型である。
【００２６】
１つ以上のスペーサー切り抜きの位置、サイズ、形態および数に関しては、１つ以上のスペーサー切り抜きは、それを通して容器から消費者物品を簡単に掴み出すことができる少なくとも一つの窓を画定するような方法に配置される。
【００２７】
スペーサーのそれぞれのスペーサー壁は、最大２つのスペーサー切り抜きを持ちうる、すなわち、スペーサー切り抜きが全くないか、１つのスペーサー切り抜きまたは２つのスペーサー切り抜きを持つことが好ましい。スペーサーのそれぞれのスペーサー壁は、同じ形態および同じ数の切り抜きを、またはさらには異なる形態または異なる数の切り抜きを持ちうる。
【００２８】
１つのスペーサー壁を持つスペーサーでは、スペーサーは、スペーサーの反対側に２つのスペーサー切り抜きを含みうることが好ましい。別の方法として、こうしたスペーサーは、１つのスペーサー切り抜きまたは３つのスペーサー切り抜きを含みうる。
【００２９】
２つのスペーサー壁を持つスペーサーでは、スペーサーは、１つのスペーサー切り抜きまたは２つのスペーサー切り抜きを含みうることが好ましい。
【００３０】
３つのスペーサー壁を持つスペーサーでは、スペーサーは、１つ、２つまたは３つのスペーサー切り抜きを含みうることが好ましい。
【００３１】
４つのスペーサー壁を持つスペーサーでは、スペーサーは、スペーサーの反対側に２つのスペーサー切り抜き、またはスペーサーの反対側に４つのスペーサー切り抜き、または３つのスペーサー切り抜きを含みうることが好ましい。
【００３２】
スペーサーの好ましい実施形態は、それらのさらなるスペーサー壁が別のスペーサー壁に対して平たくなるような方法に折り畳まれる限り、さらなるスペーサー壁を備えうる。
【００３３】
一部の実施形態では、容器は内側フレーム切り抜きを備えた内側フレームを含むが、ここで内側フレームは、ボックス前部壁の内側に提供され、かつボックス前部壁の上端で部分的に突き出し、ボックス部分内に取り付けられたスペーサーは、内側フレーム切り抜きの上端で部分的に突き出す。
【００３４】
スペーサーの高さ（スペーサー切り抜きがない位置で測定される）は、容器のボックス部分の内側高さを超えるべきではない。スペーサーの高さは、ボックス部分の内側高さに対応することが好ましい。スペーサーの高さは、ボックス部分の内側高さよりもわずかに、例えば０．１〜１．５センチメートルだけ低くてもよく、ここで、１つ以上のスペーサー切り抜きはさらに、例えば、さらに０．５〜３．０センチメートル、より好ましくは１．０〜１．５センチメートル、スペーサー切り抜きの位置でスペーサーの高さを減少させる。別の好ましい実施形態では、スペーサーの高さは、容器のボックス部分の内側高さよりも、２パーセント〜２５パーセント、好ましいくは５パーセント〜２０パーセント、およびより好ましくは１０パーセント〜１５パーセント低い。
【００３５】
好ましい細長い喫煙物品は一般にボックス部分の高さに対応する高さを持つため、スペーサー切り抜きの配置は、スペーサーの上端が（スペーサー切り抜きのない位置で）ボックス部分の内側高さに近い場合でも、紙巻たばこなどの消費者物品が１つ以上のスペーサー切り抜きの位置でスペーサーを著しく超えるという利点を持つ。従って、容器内に位置する消費者物品は、それゆえにスペーサーがバリアや妨害となることなく、消費者によって簡単に掴まれることができる。
【００３６】
スペーサーは、容器内に消滅しない有限の容積を画定し、従って容器の内側断面を、スペーサー壁内部にある領域と、スペーサー壁と容器の壁との間にある領域とに分割する。
【００３７】
閉じた周辺が生じるようにスペーサー壁が相互に連結されているスペーサーでは、スペーサーの断面は、１つまたは複数のスペーサー壁によって囲まれた領域である。スペーサー壁が相互に連結されていないか、または閉じた周囲が生じるようにスペーサー壁が相互に連結されていないスペーサーでは、スペーサーの断面は、１つまたは複数のスペーサー壁および１つまたは複数のスペーサー壁の端部を結ぶ想像上の直線によって囲まれた領域である。ボックス部分の断面は、ボックス前部壁、ボックス後部壁および２つのボックス側壁によって囲まれた領域である。
【００３８】
スペーサーは、スペーサーがボックス部分の断面を少なくともその３つの区画に、すなわち、ボックス部分内に位置するがスペーサー内ではない区画、およびスペーサー内に位置するがボックス部分の壁とスペーサーとの間の容積内ではない区画に分割するような方法で、容器のボックス部分内に取り付けられうる。ボックス部分内に配置される消費者物品の量に応じて、消費者物品は、適切な量の区画内にのみ位置し、一方で利用可能な区画の残りの部分は自由なままとしうる。好ましい一つの実施形態では、消費者物品はボックス部分内部に位置するが、スペーサーの内部にはない。別の実施形態では、消費者物品は、スペーサー内に位置するが、ボックス部分の壁とスペーサーとの間の容積内にはない。個別の区画が複数の消費者物品がその中に位置できるようなサイズであることが好ましい。３つ、４つまたはさらに多くの区画の存在は、製造者に高い度合いの柔軟性を与えることが分かる。より多くのまたは少ない紙巻たばこが１つの容器内に詰め込まれうる。所定のスペーサー内にある余裕は、製造者の希望および必要に応じて、完全に詰め込むことも、または部分的にのみ詰めることも、または全くない状態しておくこともできる。選択した詰め込み方法に関係なく、スペーサーの存在によって、いくらかの喫煙物品または紙巻たばこが取り出された場合でも、喫煙物品および特に紙巻たばこの動きの可能性が制限されることによって、これらは所定位置に保持される。
【００３９】
容器は、スペーサーの断面積がボックス部分の断面積の約１０パーセント〜約６０パーセントであることが好ましい。スペーサーの断面積は、ボックス部分の断面積の約２０パーセント〜約５０パーセントであることが好ましく、約２５パーセント〜約４５パーセントがより好ましい。こうした本発明の好ましい容器は、少なくとも容器が閉じ、かつ消費者物品が容器から取り出されていない限り、消費者物品の潜在的な動きが十分に制限され、潜在的な損傷のリスクが低減されるように、容器内で利用可能な容積のバランスを図る。
【００４０】
容器は、スペーサーの外側深さがボックス部分の内側深さに対応するか、またはスペーサーの外側幅がボックス部分の内側幅に対応するか、またはスペーサーの外側深さがボックス部分の内側深さに対応し、かつスペーサーの外側幅がボックス部分の内側幅に対応することが好ましい。これらすべての配置の利点は、スペーサーが摩擦とボックス部分内の隣接したボックス部分の壁によって自動的に保持され、消費者物品が取り出された後で、ボックス部分内部で全くあるいはほとんど移動できないことである。これは、スペーサーをボックスの壁の１つ以上に糊付けまたはその他の方法で固定することによってさらにサポートされうる。
【００４１】
容器用の材料は、厚紙または紙が好ましく、容器用の材料は厚紙がより好ましい。容器用のこの材料は、１４０グラム／平方メートル〜２５０グラム／平方メートルの基準重みを持ち、１６０グラム／平方メートル〜２４０グラム／平方メートルが好ましく、１８０グラム／平方メートル〜２３０グラム／平方メートルがより好ましい。主題の用途において、言及したすべての基準重みは、ＡＳＴＭ  Ｄ６４６  -  １３に基づき（ＡＳＴＭ  Ｄ６８５  -  １２と併せて）決定される。
【００４２】
スペーサーは、任意のシートまたはシート様の材料から作製されうる。スペーサーはラミネート、厚紙、紙または箔、またはプラスチックで作製されることが好ましい。スペーサーは、厚紙または紙またはプラスチックから作製されることが好ましい。スペーサーは、少なくとも１２０グラム／平方メートルの基準重みを持ちうるが、１３０〜２５０グラム／平方メートルが好ましく、また１６０〜２３０グラム／平方メートルがより好ましい。スペーサーの基準重みは、ＡＳＴＭ  Ｄ６４６  -  １３に基づき（ＡＳＴＭ  Ｄ６８５  -  １２と併せて）決定される。
【００４３】
本発明の第二の態様によれば、必ずしも記述した順序通りではないが、以下の工程を実施することにより、本発明の容器を準備するための方法が提供されている。
（ａ）ボックス部分を形成するための主要ブランクを提供する工程。
（ｂ）主要ブランクから、ボックス前部壁、ボックス後部壁、ボックス底部壁およびボックス前部壁とボックス後部壁との間に延びる２つのボックス側壁を含むボックス部分を形成する工程。
（ｃ）スペーサーを形成するためのスペーサーブランクに少なくとも一つの１つの切り抜きを提供する工程。
（ｄ）スペーサーブランクから少なくとも一つのスペーサー切り抜きを持つスペーサーを形成する工程。
（ｅ）スペーサーがボックス部分内に取り付けられ、ボックス底部壁に基本的に直角に取り付けられ、かつ少なくとも一つのスペーサー切り抜きを持つスペーサーがボックス前部壁の上端で部分的に突き出すように、少なくとも一つのスペーサー切り抜きを持つスペーサーを容器のボックス部分内に導入する工程。
（ｆ）内側フレームを形成するための内側フレームブランクに切り抜きを提供する工程。
（ｇ）内側フレームブランクから内側フレームを形成する工程。
（ｈ）内側フレームがボックス前部壁（１４）の上端で部分的に突き出すように、内側フレームをボックス前部壁の内側に取り付ける工程。
【００４４】
容器を準備する方法は、消費者物品を適切な時点で容器に導入する工程によって補足されうることが好ましい。これは、方法の終わりの時点でスペーサーが容器内に挿入された後でもよい。ただし、容器を準備するための上述の方法を実施する間に行われてもよい。例えば、消費者物品としての紙巻たばこでは、紙巻たばこはスペーサーブランク上に配置されうる。その後で、スペーサーが紙巻たばこの周りに形成され、結果的な包みが容器内に導入される。その目的で、紙巻たばこは、内側ライナー内に包まれてから、スペーサーブランク上に配置されることもできる。
【００４５】
本発明による容器の長さ、幅および奥行きは、閉位置での容器の結果的な全体的寸法が、２０本の紙巻たばこの典型的な使い捨てヒンジリッドパックの寸法と類似するような寸法としうる。
【００４６】
本発明による容器の高さは約６０ミリメートル〜約１５０ミリメートルであることが好ましく、高さが約７０ミリメートル〜約１２５ミリメートルであることがより好ましいが、ここで高さは、容器の上部壁から底部壁までを測定したものである。
【００４７】
本発明による容器の幅は約１２ミリメートル〜約１５０ミリメートルであることが好ましく、幅が約７０ミリメートル〜約１２５ミリメートルであることがより好ましいが、ここで幅は、容器の一方の側壁から他方の側壁までを測定したものである。
【００４８】
本発明による容器の奥行きは約６ミリメートル〜約１００ミリメートルであることが好ましく、奥行きが約１２ミリメートル〜約２５ミリメートルであることがさらに好ましいが、ここで奥行きは、容器の前部壁から後部壁までを測定したものである（ボックスとリッドの間のヒンジを含む）。
【００４９】
本発明による容器は、例えば、高密度または低密度のポリエチレン、ポリプロピレン、方向性ポリプロピレン、ポリ塩化ビニリデン、セルロースフィルム、または従来的な方法でのその組み合わせの透明高分子フィルムで、収縮包装またはそれ以外の方法でオーバーラップされる。本発明による容器がオーバーラップされる場合、オーバーラッパーは１つ以上のティアテープを含みうる。さらに、オーバーラッパーは画像、消費者情報またはその他のデータとともに印刷しうる。追加の外側ラッパーは有利なことに、例えば、取り扱い中の摩損に対して容器の表面を保護しうる。
【００５０】
喫煙物品の群を収容するだけでなく、容器は、例えば、マッチ、ライター、消火手段、口臭フレッシュまたは電子装置などのその他の消費者物品をさらに含みうる。その他の消費者物品は、容器の外側に取り付けるか、容器内（例えば、スペーサーのうちの１つ内）に喫煙物品に沿って容器の別の区画内に含めるか、またはその組み合わせとしうる。
【００５１】
本発明による容器およびスペーサーの外部表面は、製造元またはブランドのロゴ、商標、スローガンおよびその他の消費者情報およびしるしで、印刷、エンボス加工、デボス加工またはその他の方法で装飾しうる。
【００５２】
本発明の好ましい実施形態は、上述の好ましい意味の組み合わせである。本発明の特に好ましい実施形態は、上述のより好ましい意味の組み合わせである。
本発明は以下の添付図面を参照しながら、例証としてのみであるがさらに説明する。
【図面の簡単な説明】
【００５３】
【図１】図１は、ボックス部分を備えた本発明による容器の断面図を示し、少なくとも一つのスペーサー切り抜きを持つ少なくとも一つのスペーサーを備え、いくらかの紙巻たばこ  がボックス部分内に配置されている。
【図２】図２は、本発明による容器とともに使用されるスペーサー用のブランクの実施形態を示す。
【発明を実施するための形態】
【００５４】
図１に示す容器１０は、ボックス部分を備え、ここでボックス部分の表示した断面は、周囲のボックス側壁１２、ボックス前部壁１４およびボックス後部壁１６によって画定される。スペーサー２０は、容器１０内に取り付けられる。スペーサー２０は、三角形の断面を持ち、またスペーサー２０のスペーサー壁２８がボックス前部壁１４の内側に対して平たくなるように、容器１０内に取り付けられる。スペーサー２０の三角形の断面は、ボックス部分内部の容積を３つの異なる区画に分割するが、ここで、本実施形態では、スペーサー２０内の区画は空であり、残りの２つの区画、すなわちスペーサー２０とボックス壁１２、１４、１６との間の容積は紙巻たばこ４０で充填される。
【００５５】
図２は、そこから図１で使用されたスペーサー２０が形成されうるブランクを示す。ブランクは、端部２２、２４に沿って２回折り畳まれ、それによって３つのスペーサー壁２６、２８、３０が提供される。断面図では、折り畳まれたブランクが三角形の形態となる。ブランクの上端では、ブランクの一部がそれぞれのスペーサー壁から切り抜かれる。スペーサー壁２６および３０はそれぞれ三角形の切り抜き３２、３６を示し、一方でスペーサー壁２８はＵ字型の切り抜き３４を示す。別の実施形態では、スペーサー壁２８は、スペーサー切り抜き３２および３６によって残された空間を助長することにより簡単に紙巻たばこ４０を掴めるようにスペーサー２０の寸法が選択されている限り、スペーサー切り抜き３４を持たなくてもよい。スペーサー２０を準備する時、スペーサー切り抜き３２、３４、３６を切り抜く工程は、スペーサー２０を折り畳む前に実施されうる。ブランクを切断して、スペーサー２０を三角形の断面に折り畳んだ後、スペーサー２０は、スペーサー２０の下端を容器１０のボックス底部壁に配置し、かつスペーサー壁２８をボックス前部壁１４の内側に対して平たくなるように配置することにより、容器１０内に取り付けられる。容器１０内でのスペーサー２０のこの配置により、スペーサー切り抜き３２、３４、３６が紙巻たばこ４０を取り出すための窓を提供するため、紙巻たばこ４０はスペーサー２０の存在にもかかわらず簡単に掴まれうる。
【図１】
2018508427.tif 000003
【図２】
2018508427.tif 000004
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
消費者物品のための容器（１０）であって、前記容器（１０）が、
ボックス部分であって、前記ボックス部分がボックス前部壁（１４）と、ボックス後部壁（１６）と、ボックス底部壁と、前記ボックス前部壁（１４）と前記ボックス後部壁（１６）の間に延びる２つのボックス側壁（１２）を含むものと、
スペーサー（２０）であって、
前記スペーサー（２０）が前記ボックス部分内に取り付けられ、
前記スペーサー（２０）が前記ボックス底部壁に基本的に直角に取り付けられ、
前記スペーサー（２０）が前記ボックス前部壁（１４）の上端で部分的に突き出し、
前記スペーサー（２０）が、少なくとも一つのスペーサー壁（２６、２８、３０）を含むものとを備え、
前記少なくとも一つのスペーサー壁（２６、２８、３０）が少なくとも一つのスペーサー切り抜き（３２、３４、３６）を持ち、
前記少なくとも一つのスペーサー切り抜き（３２、３４、３６）が前記少なくとも一つのスペーサー壁（２６、２８、３０）の前記上端に位置し、
前記容器（１０）が内側フレーム切り抜きのある内側フレームをさらに備え、
前記内側フレームが前記ボックス前部壁（１４）の内側に提供され、かつ前記ボックス前部壁（１４）の上端で部分的に突き出し、
前記スペーサー（２０）が前記容器（１０）内に取り付けられる別個の要素である、容器。
【請求項２】
前記スペーサー（２０）の少なくとも第一の部分が折り曲げられて、前記スペーサー（２０）の前記第一の部分の円形、楕円形、長円形、半円形、半楕円形または半長円形またはＵ字型の断面を生じる、請求項１に記載の容器（１０）。
【請求項３】
前記スペーサー（２０）の少なくとも第二の部分が折り畳まれて、前記スペーサー（２０）の前記第二の部分のＵ字型、Ｖ字型、三角形、長方形または台形の断面を生じる複数のスペーサー壁（２６、２８、３０）を提供する、請求項１または請求項２に記載の容器（１０）。
【請求項４】
請求項１〜３のいずれか１項に記載の容器（１０）であって、前記スペーサー（２０）が、
成形されて前記スペーサー（２０）の円形、楕円形、長円形、半円形、半楕円形、半長円形またはＵ字型の断面を形成する１つのスペーサー壁（２６、２８、３０）か、
成形されて前記スペーサー（２０）のＶ字型の断面を形成する２つのスペーサー壁（２６、２８、３０）か、
成形されて前記スペーサー（２０）のＵ字型または三角形の断面を形成する３つのスペーサー壁（２６、２８、３０）か、
成形されて前記スペーサー（２０）の長方形または台形の断面を形成する４つのスペーサー壁（２６、２８、３０）のいずれかを含む、容器。
【請求項５】
請求項４に記載の容器（１０）であって、前記スペーサー（２０）が
前記スペーサー（２０）の反対側の２つのスペーサー切り抜き（３２、３４、３６）、または１つのスペーサー切り抜き（３２、３４、３６）または３つのスペーサー切り抜き（３２、３４、３６）を持つ、１つのスペーサー壁（２６、２８、３０）か、
１つのスペーサー切り抜き（３２、３４、３６）または２つのスペーサー切り抜き（３２、３４、３６）を持つ、２つのスペーサー壁（２６、２８、３０）か、
１つ、２つまたは３つのスペーサー切り抜き（３２、３４、３６）を持つ、３つのスペーサー壁（２６、２８、３０）か、
前記スペーサー（２０）の反対側の２つのスペーサー切り抜き（３２、３４、３６）、または前記スペーサー（２０）の反対側の４つのスペーサー切り抜き（３２、３４、３６）、または３つのスペーサー切り抜き（３２、３４、３６）を持つ、４つのスペーサー壁（２６、２８、３０）のいずれかを持つ、容器。
【請求項６】
前記少なくとも一つのスペーサー切り抜き（３２、３４、３６）が、三角形、長方形、半円形、半楕円形、半長円形の形態持つか、またはＵ字型もしくはＶ字型である、請求項１〜５のいずれか１項に記載の容器（１０）。
【請求項７】
前記スペーサー（２０）の断面積が、前記ボックス部分の断面積の約１０パーセント〜約６０パーセント、好ましくは約２０パーセント〜約５０パーセント、より好ましくは約２５パーセント〜約４５パーセントである、請求項１〜６のいずれか１項に記載の容器（１０）。
【請求項８】
請求項１〜７のいずれか１項に記載の容器（１０）であって、
前記スペーサー（２０）の外側深さが前記ボックス部分の内側深さに対応するか、
前記スペーサー（２０）の外側幅が前記ボックス部分の内側幅に対応するか、
前記スペーサー（２０）の前記外側深さが前記ボックス部分の前記内側深さに対応し、かつ前記スペーサー（２０）の前記外側幅が前記ボックス部分の前記内側幅に対応するか、のいずれかである容器。
【請求項９】
前記消費者物品が喫煙物品、好ましくは葉巻たばこ、シガリロまたは紙巻たばこ（４０）、より好ましくは紙巻たばこ（４０）である、請求項１〜８のいずれか１項に記載の容器（１０）。
【請求項１０】
請求項１〜９のいずれか１項に記載の容器（１０）であって、
前記消費者物品が前記ボックス部分内に位置するが、前記スペーサー（２０）内にはないか、
前記消費者物品が前記スペーサー（２０）内に位置するが、前記ボックス部分の壁（１２、１４、１６）と前記スペーサー（２０）との間の容積内にないか、のいずれかである、容器。
【請求項１１】
前記容器（１０）が、リッド前部壁、リッド後部壁、および前記リッド前部壁と前記リッド後部壁との間に延びる２つのリッド側壁を含むリッド部分をさらに備える、請求項１〜１０のいずれか１項に記載の容器（１０）。
【請求項１２】
前記スペーサー（２０）の高さが前記ボックス部分の内側高さに対応する、請求項１〜１１のいずれか１項に記載の容器（１０）。
【請求項１３】
請求項１〜１２のいずれか１項に記載の消費者物品用の容器（１０）を準備するための方法であって、
（ａ）ボックス部分を形成するための主要ブランクを提供する工程と、
（ｂ）前記主要ブランクから、ボックス前部壁（１４）、ボックス後部壁（１６）、ボックス底部壁、および前記ボックス前部壁（１４）と前記ボックス後部壁（１６）との間に延びる２つのボックス側壁（１２）を含む前記ボックス部分を形成する工程と、
（ｃ）スペーサー（２０）を形成するためのスペーサーブランクに少なくとも一つの１つの切り抜き（３２、３４、３６）を提供する工程と、
（ｄ）前記スペーサーブランクから前記少なくとも一つのスペーサー切り抜き（３２、３４、３６）を持つ前記スペーサー（２０）を形成する工程と、
（ｅ）前記スペーサーが前記ボックス部分内に取り付けられ、前記ボックス底部壁に基本的に直角に取り付けられ、かつ前記少なくとも一つのスペーサー切り抜き（３２、３４、３６）を持つ前記スペーサー（２０）が前記ボックス前部壁（１４）の上端で部分的に突き出すように、前記少なくとも一つのスペーサー切り抜き（３２、３４、３６）を持つ前記スペーサー（２０）を前記容器（１０）の前記ボックス部分内に導入する工程と、
（ｆ）内側フレームを形成するための内側フレームブランクに切り抜きを提供する工程と、
（ｇ）前記内側フレームブランクから前記内側フレームを形成する工程と、
（ｈ）前記内側フレームが前記ボックス前部壁（１４）の上端で部分的に突き出すように、前記内側フレームを前記ボックス前部壁の内側に取り付ける工程とを含み、
前記スペーサー（２０）が前記容器（１０）内に取り付けられる別個の要素である、方法。
【請求項１４】
消費者物品を適切な時点で前記容器（１０）に導入する工程をさらに含む、請求項１３に記載の方法。
【国際調査報告】
2018508427.tif 000005
2018508427.tif 000006
2018508427.tif 000007